(57)【要約】【課題】手書き入力部とこの手書き入力された認識文字を表示する表示部とを備えた手書き文字入力装置で、一旦手書き文字認識されて表示部に表示された文字を訂正したい場合でも、キー入力操作を要することなく、手書きでの入力操作のみにより訂正する。【解決手段】表示部１７に辞書検索画面Ｇが表示された状態で、手書き入力部１６での手書き文字入力操作に応じて検索文字入力エリアＥ１に入力表示された検索文字列に誤った文字が存在する場合は、手書き入力部１６内の「訂正」ボタン１７Ｔをタッチ操作するだけでその誤った文字を含む検索文字列を一括して手書き入力部１６に表示でき、その誤った文字をタッチ操作して訂正対象として指定するだけで、同手書き入力部１６にその認識候補文字を一覧表示できる。そして本来入力したい候補文字をタッチ操作選択して前記検索文字入力エリアＥ１に表示された検索文字列内の訂正対象文字と入れ替え表示できる。【選択図】      図５
2008158880.tif 000002
【特許請求の範囲】
【請求項１】
表示部と、
タッチ位置検出装置と表示装置が一体に構成された手書き入力部と、
この手書き入力部において手書きされた手書き文字を文字認識する文字認識手段と、
この文字認識手段により得られた認識文字を前記表示部に入力文字として表示させる認識文字表示制御手段と、
この認識文字表示制御手段により前記表示部に表示された入力文字について、前記手書き入力部におけるユーザのタッチ操作に応じて訂正対象とする入力文字を指定する訂正文字指定手段と、
この訂正文字指定手段により指定された訂正対象の入力文字について、前記文字認識手段により得られた他の認識候補文字を前記手書き入力部に表示させる候補文字表示制御手段と、
この候補文字表示制御手段により前記手書き入力部に表示された候補文字に対するユーザのタッチ操作に応じて、前記表示部に表示されている訂正対象の入力文字を当該タッチされた候補文字に訂正する文字訂正手段と、
を備えたことを特徴とする手書き文字入力装置。
【請求項２】
前記訂正文字指定手段は、
前記表示部に表示されている入力文字を当該手書き入力部に表示させる入力文字表示制御手段を有し、この入力文字表示制御手段により前記手書き入力部に表示された入力文字に対するユーザのタッチ操作により訂正対象の入力文字を指定する、
ことを特徴とする請求項１に記載の手書き文字入力装置。
【請求項３】
前記候補文字表示制御手段により前記手書き入力部に表示された他の認識候補文字がユーザによりタッチ操作されない場合に、当該手書き入力部における新たな手書き文字を前記文字認識手段により認識させ、前記表示部に表示されている訂正対象の入力文字を訂正させる制御手段をさらに備えたことを特徴とする請求項１または請求項２に記載の手書き文字入力装置。
【請求項４】
前記候補文字表示制御手段によって前記文字認識手段により得られた他の認識候補文字が前記手書き入力部に表示された後に、当該手書き入力部に手書き文字入力エリアと候補文字表示エリアとを設定し、この手書き文字入力エリアにて手書き入力され候補文字表示エリアに認識候補表示された手書き文字に対応する文字により、前記表示部に表示されている訂正対象の入力文字を訂正させる第２の文字訂正手段をさらに備えたことを特徴とする請求項１または請求項２に記載の手書き文字入力装置。
【請求項５】
表示部と、
ユーザのタッチ操作を検出して手書きの軌跡を表示可能な手書き入力部と、
この手書き入力部において手書きされた手書き文字を文字認識する文字認識手段と、
この文字認識手段により文字認識された前記手書き文字に対応する候補文字を当該手書き入力部に表示させる候補文字表示制御手段と、
この候補文字表示制御手段により前記手書き入力部に表示された手書き文字の候補文字に対するユーザ選択のタッチ操作の検出に応じて、当該検出されたユーザ選択の候補文字を前記表示部に表示させる選択文字表示制御手段と、
を備えたことを特徴とする手書き文字入力装置。
【発明の詳細な説明】
【技術分野】
【０００１】
本発明は、手書き入力部とこの手書き入力部で入力された手書き文字の認識文字を表示する表示部とを備えた手書き文字入力装置に関する。
【背景技術】
【０００２】
従来から、ワードプロセッサのように文字入力キーを直接キー操作して所望の文字を入力する文字入力装置と、タッチパネル式の手書き入力部を備え、この手書き入力部にて入力された手書きの軌跡の文字を文字認識させて入力する手書き文字入力装置とが実用されている。
【０００３】
一方で、キー入力表示された文字（列）をキーワード（検索文字（列））としてその意味内容を辞書検索し表示させるようにした電子辞書装置が実用されている。
【０００４】
そして、前記辞書検索のためのキーワード（検索文字（列））を入力するためにキー入力部（キーボード）だけでなく手書き入力部も備え、ユーザが読めない漢字などもこの手書き入力部にて手書き入力して文字認識させ、前記キーワード（検索文字（列））として入力し辞書検索表示させるようにした手書き入力機能付き電子辞書装置も考えられている（例えば、特許文献１参照。）。
【特許文献１】特開２００５−１６５５３３号公報
【発明の開示】
【発明が解決しようとする課題】
【０００５】
前記従来の手書き入力機能付き電子辞書装置では、ユーザが読めない漢字なども手書き入力して文字認識させ、キーワード（検索文字（列））として表示させることができるものの、一旦手書き文字認識されて表示部に表示された文字を訂正したい場合など、キー入力操作と手書き入力操作とを組み合わせて行わなければならない面倒がある。
【０００６】
本発明は、このような課題に鑑みなされたもので、一旦手書き文字認識されて表示部に表示された文字を訂正したい場合でも、キー入力操作を要することなく、手書きでの入力操作により訂正することが可能になる手書き文字入力装置を提供することを目的とする。
【課題を解決するための手段】
【０００７】
本発明に係る手書き文字入力装置は、表示部と、タッチ位置検出装置と表示装置が一体に構成された手書き入力部と、この手書き入力部において手書きされた手書き文字を文字認識する文字認識手段と、この文字認識手段により得られた認識文字を前記表示部に入力文字として表示させる認識文字表示制御手段と、この認識文字表示制御手段により前記表示部に表示された入力文字について、前記手書き入力部におけるユーザのタッチ操作に応じて訂正対象とする入力文字を指定する訂正文字指定手段と、この訂正文字指定手段により指定された訂正対象の入力文字について、前記文字認識手段により得られた他の認識候補文字を前記手書き入力部に表示させる候補文字表示制御手段と、この候補文字表示制御手段により前記手書き入力部に表示された候補文字に対するユーザのタッチ操作に応じて、前記表示部に表示されている訂正対象の入力文字を当該タッチされた候補文字に訂正する文字訂正手段とを備えたことを特徴としている。
【０００８】
また、本発明に係る手書き文字入力装置において、前記訂正文字指定手段は、前記表示部に表示されている入力文字を当該手書き入力部に表示させる入力文字表示制御手段を有し、この入力文字表示制御手段により前記手書き入力部に表示された入力文字に対するユーザのタッチ操作により訂正対象の入力文字を指定することを特徴としている。
【０００９】
また、本発明に係る手書き文字入力装置は、前記候補文字表示制御手段により前記手書き入力部に表示された他の認識候補文字がユーザによりタッチ操作されない場合に、当該手書き入力部における新たな手書き文字を前記文字認識手段により認識させ、前記表示部に表示されている訂正対象の入力文字を訂正させる制御手段をさらに備えたことを特徴としている。
【００１０】
また、本発明に係る手書き文字入力装置は、前記候補文字表示制御手段によって前記文字認識手段により得られた他の認識候補文字が前記手書き入力部に表示された後に、当該手書き入力部に手書き文字入力エリアと候補文字表示エリアとを設定し、この手書き文字入力エリアにて手書き入力され候補文字表示エリアに認識候補表示された手書き文字に対応する文字により、前記表示部に表示されている訂正対象の入力文字を訂正させる第２の文字訂正手段をさらに備えたことを特徴としている。
【００１１】
本発明に係るもう１つの手書き文字入力装置は、表示部と、ユーザのタッチ操作を検出して手書きの軌跡を表示可能な手書き入力部と、この手書き入力部において手書きされた手書き文字を文字認識する文字認識手段と、この文字認識手段により文字認識された前記手書き文字に対応する候補文字を当該手書き入力部に表示させる候補文字表示制御手段と、この候補文字表示制御手段により前記手書き入力部に表示された手書き文字の候補文字に対するユーザ選択のタッチ操作の検出に応じて、当該検出されたユーザ選択の候補文字を前記表示部に表示させる選択文字表示制御手段とを備えたことを特徴としている。
【発明の効果】
【００１２】
本発明によれば、一旦手書き文字認識されて表示部に表示された文字を訂正したい場合でも、キー入力操作を要することなく、手書きでの入力操作により訂正することが可能になる手書き文字入力装置を提供できる。
【発明を実施するための最良の形態】
【００１３】
以下図面により本発明の実施形態について説明する。
【００１４】
図１は、本発明の手書き文字入力装置の実施形態に係る手書き入力機能付き電子辞書装置１０の外観構成を示す正面図である。
【００１５】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、電源キー、各種文字・記号キー、辞書指定キー、訳／決定キー、削除キー、カーソルキーなどを備えたキー入力部１４、スピーカ１５Ｌ，１５Ｒ、手書き入力部１６が設けられる。
【００１６】
この手書き入力部１６は、ユーザがペンや指等でタッチした位置を検出するタッチ位置検出装置と表示装置が一体となった構造であり、例えば、キー入力部１４の中央手前側において１２８×６４ドットの液晶表示画面に透明タブレットを重ねて構成される。この手書き入力部１６の入力領域は、左右に１文字ずつ２文字分の手書き入力表示エリア１６Ｌ，１６Ｒを有すると共に、この手書き入力表示エリア１６Ｌ，１６Ｒにて入力表示された手書き文字の文字認識をユーザが指示するための“認識”との文字がタブレット面に印刷された「認識」ボタン１６Ｎ、文字認識された文字の訂正や削除をユーザが指示するための“訂正”との文字がタブレット面に印刷された「訂正」ボタン１６Ｔを有する。この手書き入力部１６の手書き入力表示エリア１６Ｌ，１６Ｒでの手書き入力に伴う軌跡はその液晶表示画面にエコーバックして表示される。
【００１７】
また蓋体ケース１２の表面には、そのほぼ全域に例えば４８０×３２０ドットのバックライト付き表示部（液晶表示画面）１７が設けられる。
【００１８】
図２は、前記手書き入力機能付き電子辞書装置１０の電子回路の構成を示すブロック図である。
【００１９】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００２０】
ＣＰＵ２１は、メモリ２２内に予め記憶された装置制御プログラム、あるいはＲＯＭカードなどの外部記憶媒体２３から記憶媒体読取部２４を介して前記メモリ２２に読み込まれた装置制御プログラム、あるいはインターネットＮ上のＷｅｂサーバ（この場合はプログラムサーバ）３０から電送制御部（通信部）２５を介して前記メモリ２２に読み込まれた装置制御プログラムに応じて、回路各部の動作を制御するもので、前記メモリ２２に記憶された装置制御プログラムは、キー入力部１４や手書き入力部１６からのユーザ操作に応じた入力信号、あるいは電送制御部２５を介して接続されるインターネットＮ上の各Ｗｅｂサーバ３０…との通信信号、あるいは記憶媒体読取部２４を介して外部接続されるＥＥＰＲＯＭ，ＲＡＭ，ＲＯＭなどのメモリカード（記憶媒体）２３との接続通信信号に応じて起動される。
【００２１】
前記ＣＰＵ２１には、前記メモリ２２、記憶媒体読取部２４、電送制御部２５、キー入力部１４、手書き入力部１６が接続される他に、表示部１７などが接続される。
【００２２】
メモリ２２には、当該携帯機器（電子辞書）１０の全体の動作を司るシステムプログラムや電送制御部２５を介してインターネットＮ上の各Ｗｅｂサーバ３０…や図示しないユーザＰＣ(Personal Computer)などとデータ通信するための通信プログラムが記憶される他に、辞書データ（２２ｃ）に基づく検索文字列（キーワード）の入力に応じた見出語検索処理と指定の見出語に対応した訳語・意味内容・例文（用例）などの各種説明情報の読み出し表示処理など、辞書データ（２２ｃ）に基づく検索処理全般を制御するための辞書検索処理プログラム２２ａ、手書き入力部１６にて手書き入力表示された手書きの文字を文字認識するための文字認識処理プログラム２２ｂが記憶される。
【００２３】
また、このメモリ２２には、辞書データメモリ２２ｃ、文字認識変換候補バッファ２２ｄ、表示データメモリ２２ｅ、入力文字メモリ２２ｆ、検索文字列（キーワード）メモリ２２ｇ、ワークエリア２２ｈなどが用意される。
【００２４】
辞書データメモリ２２ｃには、「国語辞書」「英和辞書」「和英辞書」「英英辞書」「英類語辞書」などと共に、「広○辞」、「漢○源」など、種類の異なる辞書データが予め、あるいはダウンロードされて複数辞書記憶される。
【００２５】
文字認識変換候補バッファ２２ｄには、前記手書き入力部１６において入力表示された手書き文字が前記文字認識処理プログラム２２ｂに従って文字認識処理される際に、その認識変換された候補文字が例えば第１候補文字から第１０候補文字まで記憶される。
【００２６】
表示データメモリ２２ｅには、表示部１７の表示画面に対応した表示データの記憶領域と手書き入力部１６の表示画面に対応した表示データの記憶領域とを有し、それぞれその表示画面に表示すべきデータがビットマップのパターンデータとして展開記憶される。
【００２７】
入力文字メモリ２２ｆには、前記辞書検索処理プログラム２２ａに従ってキー入力部１４や手書き入力部１６によりユーザ入力された数字・文字・記号などの入力データが記憶保持される。
【００２８】
検索文字列（キーワード）メモリ２２ｇには、辞書検索処理の対象として入力あるいは指定された文字や文字列が記憶される。
【００２９】
ワークエリア２２ｈには、前記辞書検索処理プログラム２２ａや文字認識処理プログラム２２ｂなどの各種の装置制御プログラムに従いＣＰＵ２１に入出力される種々のデータが必要に応じて記憶される。
【００３０】
次に、前記構成の手書き入力機能付き電子辞書装置１０の動作について説明する。
【００３１】
ここでは、手書き入力部１６を使用して入力した文字（文字列）を検索文字列（キーワード）として辞書検索する場合の動作を主体に説明し、キー入力部１４を使用して入力した文字（文字列）を検索文字列（キーワード）として辞書検索する場合の動作については通常動作と同様であるためその説明を省略する。
【００３２】
図３は、前記手書き入力機能付き電子辞書装置１０の辞書検索処理を示すフローチャートである。
【００３３】
図４は、前記電子辞書装置１０の辞書検索処理に伴う手書き入力処理を示すフローチャートである。
【００３４】
図５は、前記電子辞書装置１０の辞書検索処理に伴う辞書検索表示動作（その１）を示す図である。
【００３５】
図６は、前記電子辞書装置１０の辞書検索処理に伴う辞書検索表示動作（その２）を示す図である。
【００３６】
キー入力部１４における辞書指定キーにより今回の辞書検索により使用したい辞書（例えば国語辞典である「広○苑」）が指定入力されると、検索文字入力エリアＥ１を有する辞書検索画面Ｇ（図５（Ａ）参照）が表示部１７に表示され、検索文字列（キーワード）の入力待機状態となる（ステップＳ１）。そして、図４における手書き入力処理へ移行される（ステップＳＡ）。
【００３７】
この手書き入力処理において、手書き入力部１６にてユーザの手書き入力に伴うタッチ操作が検出されると（ステップＡ１）、その検出されたタッチ操作の位置が手書き入力表示エリア１６Ｌと１６Ｒとの間で移動変化したか否か、つまり次の手書き文字の入力操作に移ったか否か判断される（ステップＡ２）。
【００３８】
ここで、手書き入力部１６にて検出されたタッチ操作の位置が手書き入力表示エリア１６Ｌと１６Ｒとの間で移動変化していないと判断された場合には（ステップＡ２（Ｎｏ））、当該何れか手書き入力表示エリア１６Ｌ（又は１６Ｒ）にて検出されているタッチ操作位置に対応する軌跡が表示されて行く（ステップＡ３→Ａ１〜Ａ３）。
【００３９】
そして、前記手書き入力部１６にて検出されたタッチ操作の位置が手書き入力表示エリア１６Ｌと１６Ｒとの間で移動変化したと判断されるか（ステップＡ２（Ｙｅｓ））、または同手書き入力部１６内の右上に設けられた「認識」ボタン１６Ｎに対するタッチ操作が検出されると（ステップＡ４（Ｙｅｓ））、文字認識処理プログラム２２ｂに従い、その時点で前記手書き入力表示エリア１６Ｌ（又は１６Ｒ）にて描画表示されている手書き文字の認識処理が実行される（ステップＡ５）。
【００４０】
すると、この文字認識処理において得られた認識文字のうち第１候補文字が、前記検索文字入力エリアＥ１のカーソルＣの位置に入力文字として表示され、検索文字列（キーワード）メモリ２２ｇに記憶されると共に、当該第１候補文字から第１０候補文字までが文字認識変換候補バッファ２２ｄに記憶される（ステップＡ６）。そして、前記検索文字入力エリアＥ１のカーソルＣの位置が前進移動される（ステップＡ７）。
【００４１】
こうして、前記辞書検索画面Ｇの検索文字入力エリアＥ１に検索文字列（キーワード）が入力表示されると、その１文字入力毎にその時点での一連の検索文字列（キーワード）に先頭一致する見出し語がユーザ指定の辞書データ（２２ｃ）基づき検索され、見出し語一覧エリアＥ２（図５（Ａ）参照）に表示される（ステップＳ２）。
【００４２】
そして、この見出し語一覧エリアＥ２にて反転カーソルＣＲにより選択された見出し語に対応する辞書内容（説明情報）が前記ユーザ指定の辞書データ（２２ｃ）から読み出され、辞書内容表示エリアＥ３に対して表示される（ステップＳ３）。
【００４３】
例えば図５（Ａ）は、前記手書き入力処理におけるステップＡ１〜Ａ７での処理により順次手書き入力されて文字認識された検索文字列「喜努哀楽」が検索文字入力エリアＥ１に入力表示され、これに対応する見出し語一覧表示（Ｅ２）および辞書内容表示（Ｅ３）が行われた状態を示している。
【００４４】
こうした手書きでの文字入力認識処理により、検索文字列として本来は「喜怒哀楽」と入力したい場合であって、図５（Ａ）で示したように「喜努哀楽」と認識表示されてしまった状態で、手書き入力部１６内の左上に設けられた「訂正」ボタン１６Ｔに対するタッチ操作が検出されると（ステップＡ８（Ｙｅｓ））、前記検索文字入力エリアＥ１（２２ｇ）に入力表示された検索文字列が１文字であるか否（複数文字である）かが判断される（ステップＡ９）。
【００４５】
この場合（図５（Ａ）「喜努哀楽」）には、１文字ではないと判断されるので（ステップＡ９（Ｎｏ））、当該入力された検索文字列「喜努哀楽」は、図５（Ｂ）に示すようにそのまま手書き入力部１６に表示される（ステップＡ１３）。
【００４６】
そして、この手書き入力部１６に表示された検索文字列「喜努哀楽」について、訂正したい文字「努」を指定したタッチ操作が検出されると（ステップＡ１４）、当該指定された訂正対象の文字「努」について、図６（Ｃ）に示すように、前記文字認識変換候補バッファ２２ｄに記憶されている第１候補文字「努」から第１０候補文字「衷」までの各候補文字が同手書き入力部１６に一覧表示される（ステップＡ１０）。
【００４７】
なお、前記ステップＡ９において、前記検索文字入力エリアＥ１（２２ｇ）に入力表示された検索文字列が１文字であると判断された場合には（ステップＡ９（Ｙｅｓ））、当該１文字の検索文字列について、前記同様に文字認識変換候補バッファ２２ｄに記憶されている第１候補文字から第１０候補文字までの各候補文字が手書き入力部１６に一覧表示される（ステップＡ１０）。
【００４８】
そして、前記訂正対象の検索文字「努」についての手書き入力部１６における各候補文字の一覧表示状態（図６（Ｃ）参照）で、本来入力したい候補文字「怒」を選択したタッチ操作が検出されると（ステップＡ１１（Ｙｅｓ））、前記検索文字入力エリアＥ１（２２ｇ）に表示された検索文字列「喜努哀楽」においてタッチ操作での指定により訂正対象とされた文字「努」が、このタッチ操作により選択された候補文字「怒」に置き替えられ「喜怒哀楽」と訂正されて表示される（ステップＡ１２）。
【００４９】
すると、前記タッチ操作のみにより訂正された検索文字列「喜怒哀楽」に従った辞書検索・表示処理が実行され、図６（Ｄ）に示すように、「喜怒哀楽」からの各見出し語が見出し語一覧エリアＥ２に一覧表示されると共に（ステップＳ２）、反転カーソルＣＲにより指定されているところの見出し語「喜怒哀楽」に対応した辞書内容（説明情報）が辞書内容表示エリアＥ３に読み出されて表示される（ステップＳ３）。
【００５０】
これにより、手書きでの文字入力操作に応じて認識入力され検索文字入力エリアＥ１に表示された検索文字列（キーワード）に誤った文字が生じた場合でも、手書き入力部１６内の「訂正」ボタン１７Ｔをタッチ操作するだけでその誤った文字を含む検索文字列を一括して当該手書き入力部１６に表示させることができる。そして、この手書き入力部１６にて表示された検索対象文字列のうちの誤った文字をタッチ操作し訂正対象として指定するだけで、その認識候補文字を同手書き入力部１６に一覧表示させることができ、その中から本来入力したい候補文字をタッチ操作し選択して前記検索文字入力エリアＥ１に表示された検索文字列内の訂正対象文字と入れ替え表示させることができる。なお、文字認識変換候補バッファ２２ｄには、第１候補の文字を記憶させないようにして、認識候補文字の一覧表示をする際は第２候補以降の候補文字だけを表示するようにしても良い。
【００５１】
よって、手書き入力認識表示された文字（文字列）を、同手書き入力によるタッチ操作のみに従って簡単に訂正して表示させることができる。
【００５２】
なお、前記ステップＡ８において、手書き入力部１６内の「訂正」ボタン１６Ｔに対するタッチ操作が検出されたときから、前記ステップＡ１１において、同手書き入力部１６に一覧表示された各認識候補文字について本来入力したい候補文字に対する選択タッチ操作が検出されるまでの間では、図５（Ｂ）および図６（Ｃ）に示すように、表示部１７に表示されている辞書検索画面Ｇ上には、手書き入力文字の訂正ガイドを記述したメッセージウインドウＭが表示される。
【００５３】
そして、図５（Ｂ）に示すように、「訂正」ボタン１６Ｔに対するタッチ操作に応じて検索文字列「喜努哀楽」が表示された手書き入力部１６には、これと共に当該手書き入力部１６に表示させた検索文字列が表示しきれない場合にこれを前後スクロール表示させるための前後方向ボタン１６Ｆ，１６Ｂが表示され、また「確定」ボタン１６Ｋが表示される。
【００５４】
一方、例えば図６（Ｃ）で示したように、訂正対象の指定文字に対応する各認識候補文字が手書き入力部１６に一覧表示された状態で（ステップＡ１０）、当該各認識候補文字の中に本来入力したい候補文字が存在せず「削除」キーの入力操作が検出された場合には（ステップＡ１５（Ｙｅｓ））、前記検索文字入力エリアＥ１に表示されている一連の検索文字列の中から訂正対象の指定文字が削除され（ステップＡ１６）、当該訂正対象文字削除後の検索文字列に基づいた辞書検索・表示処理（ステップＳ２）、辞書内容表示処理（ステップＳ３）が実行される。この場合、検索文字入力エリアＥ１内の検索文字列に対するカーソルＣは、今回訂正対象とされて削除された文字の位置に存在するので、手書き入力部１６に対する新たな手書き文字の入力操作に応じて本来入力したい文字を再入力して認識表示させることができる。
【００５５】
また、前記ステップＡ１〜Ａ７における手書き文字の入力・認識・表示処理の状態で、「削除」キーの入力操作が検出された場合には（ステップＡ１７）、その直前に入力・認識されて前記検索文字入力エリアＥ１に表示された文字が削除される（ステップＡ１８）。
【００５６】
したがって、前記構成の手書き入力機能付き電子辞書装置１０によれば、手書き入力部１６における手書きでの文字入力操作に応じて前記辞書検索画面Ｇの検索文字入力エリアＥ１に入力表示された検索文字列（キーワード）に誤った文字が存在する場合には、前記手書き入力部１６内の「訂正」ボタン１７Ｔのタッチ操作によりその誤った文字を含む検索文字列を一括して当該手書き入力部１６に表示させ、その誤った文字をタッチ操作して訂正対象として指定するだけで、同手書き入力部１６にその他の認識候補文字を一覧表示させることができる。そして、この手書き入力部１６に一覧表示させた認識候補文字の中から本来入力したい候補文字をタッチ操作し選択して前記検索文字入力エリアＥ１に表示された検索文字列内の訂正対象文字と入れ替え表示させることができる。
【００５７】
しかも、前記手書き入力部１６に一覧表示された認識候補文字の中に本来入力したい正しい文字が存在しない場合には、当該手書き入力部１６での再度繰り返しの手書き文字入力により文字認識され認識候補選択された文字によって前記訂正対象としての指定文字を置き替え表示させることができる。
【００５８】
よって、手書き入力認識表示された文字（文字列）を、同手書き入力によるタッチ操作に従って簡単に訂正して表示させることができる。
【００５９】
なお、前記実施形態の手書き入力処理（ステップＳＡ）において、訂正対象の指定文字に対応する各認識候補文字の中に本来入力したい正しい候補文字が存在せず「削除」キーの入力操作が検出された場合には（ステップＡ１５（Ｙｅｓ））、検索文字入力エリアＥ１に表示されている当該訂正対象の指定文字が削除され（ステップＡ１６）、手書き入力部１６に対する新たな手書き文字の入力操作に応じて本来入力したい正しい文字を再入力して認識表示させる構成としたが、次の図７、図８を参照して説明するように、訂正専用の第２の手書き入力処理を行う構成としてもよい。
【００６０】
図７は、前記電子辞書装置１０の辞書検索処理に伴う手書き入力処理での第２の手書き入力処理を示すフローチャートである。
【００６１】
図８は、前記電子辞書装置１０の辞書検索処理に伴う第２の手書き入力処理での手書き入力表示動作を示す図である。
【００６２】
すなわち、前記図４における手書き入力処理でのステップＡ１０において、例えば図６（Ｃ）で示したように、訂正対象の指定文字に対応する各認識候補文字が手書き入力部１６に一覧表示された状態で、当該各認識候補文字の中に本来入力したい候補文字が存在せず「削除」キーの入力操作が検出された場合に（ステップＡ１５（Ｙｅｓ））、検索文字入力エリアＥ１に表示されている一連の検索文字列の中から訂正対象の指定文字が削除されると（ステップＡ１６）、続いて図７における第２の手書き入力処理が起動される。
【００６３】
この第２の手書き入力処理が起動されると、図８に示すように、手書き入力部１６の左側の手書き入力表示エリア１６Ｌを手書き文字入力エリア１６Ｌ′、右側の手書き入力表示エリア１６Ｒを候補文字表示エリア１６Ｒ′とする訂正用手書き入力画面Ｗが表示される（ステップＡ１６１）。
【００６４】
この訂正用手書き入力画面Ｗの手書き文字入力エリア１６Ｌ′において、前記訂正対象として指定されている検索文字「努」に替えて入力したい文字が手書き操作により入力表示されると（ステップＡ１６２）、この手書き文字入力エリア１６Ｌ′に入力表示された手書き文字の認識候補文字が候補文字表示エリア１６Ｒ′に一覧表示される（ステップＡ１６３）。
【００６５】
そして、前記訂正用手書き入力画面Ｗの右側の候補文字表示エリア１６Ｒ′における各候補文字の一覧表示状態で、本来入力したい候補文字を選択したタッチ操作が検出されると（ステップＡ１６４）、前記検索文字入力エリアＥ１（２２ｇ）に表示された検索文字列「喜努哀楽」において訂正対象として指定された文字「努」が、この第２の手書き入力操作に従い手書き入力認識・選択された候補文字「怒」に置き替えられ「喜怒哀楽」と訂正されて表示される（ステップＡ１６５）。
【００６６】
するとこの後、前記タッチ操作のみにより訂正された検索文字列「喜怒哀楽」に従った辞書検索・表示処理が実行され、前記図６（Ｄ）で示したように、「喜怒哀楽」からの各見出し語が見出し語一覧エリアＥ２に一覧表示されると共に（ステップＳ２）、反転カーソルＣＲにより指定されているところの見出し語「喜怒哀楽」に対応した辞書内容（説明情報）が辞書内容表示エリアＥ３に読み出されて表示される（ステップＳ３）。
【００６７】
したがって、前記電子辞書装置１０の辞書検索処理に伴う手書き入力処理での第２の手書き入力機能によれば、図４における第１の手書き入力処理に従い手書き入力部１６に一覧表示された認識候補文字の中に本来入力したい正しい文字が存在しない場合でも、当該手書き入力部１６の左側を手書き文字入力エリア１６Ｌ′、右側を候補文字表示エリア１６Ｒ′とする訂正用手書き入力画面Ｗを表示させ、この訂正用手書き入力画面Ｗでの手書き文字入力によって文字認識され認識候補選択された文字により、前記訂正対象として指定した文字を置き替え表示させることができる。
【００６８】
なお、前記各実施形態において説明した電子辞書装置１０での手書き文字入力・訂正機能は、当該電子辞書装置１０の場合に限らず、主要な表示部（１７）の他にエコーバック表示可能な手書き入力部（１６）を備えた携帯端末、パーソナルコンピュータなどの文字入力機能を有する電子情報機器であれば、同様にして実施することができる。
【００６９】
なお、前記各実施形態において記載した電子辞書装置１０による各処理の手法、すなわち、図３のフローチャートに示す辞書検索処理、図４のフローチャートに示す前記辞書検索処理に伴う手書き入力処理、図７のフローチャートに示す前記辞書検索処理に伴う手書き入力処理での第２の手書き入力処理などの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、主要な表示部（１７）の他にエコーバック表示可能な手書き入力部（１６）を備え、各種の辞書データベース（２２ｃ）を記憶した種々のコンピュータ端末は、この外部記憶媒体２３に記憶されたプログラムを記憶媒体読取部２４によってメモリ２２に読み込み、この読み込んだプログラムによって動作が制御されることにより、前記各実施形態において説明した辞書検索表示機能および手書き文字入力・訂正表示機能を実現し、前述した手法による同様の処理を実行することができる。
【００７０】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）２０から前記のプログラムデータを取り込み、前述した辞書検索表示機能および手書き文字入力・訂正表示機能を実現することもできる。
【００７１】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００７２】
【図１】本発明の手書き文字入力装置の実施形態に係る手書き入力機能付き電子辞書装置１０の外観構成を示す正面図。
【図２】前記手書き入力機能付き電子辞書装置１０の電子回路の構成を示すブロック図。
【図３】前記手書き入力機能付き電子辞書装置１０の辞書検索処理を示すフローチャート。
【図４】前記電子辞書装置１０の辞書検索処理に伴う手書き入力処理を示すフローチャート。
【図５】前記電子辞書装置１０の辞書検索処理に伴う辞書検索表示動作（その１）を示す図。
【図６】前記電子辞書装置１０の辞書検索処理に伴う辞書検索表示動作（その２）を示す図。
【図７】前記電子辞書装置１０の辞書検索処理に伴う手書き入力処理での第２の手書き入力処理を示すフローチャート。
【図８】前記電子辞書装置１０の辞書検索処理に伴う第２の手書き入力処理での手書き入力表示動作を示す図。
【符号の説明】
【００７３】
１０  …電子辞書装置
１１  …本体ケース
１２  …蓋体ケース
１３  …ヒンジ部
１４  …キー入力部
１５Ｌ，１５Ｒ…スピーカ
１６  …手書き入力部
１６Ｌ，１６Ｒ…手書き入力表示エリア
１６Ｔ…「訂正」ボタン
１６Ｎ…「認識」ボタン
１６Ｌ′…手書き文字入力エリア
１６Ｒ′…候補文字表示エリア
１７  …表示部（画面）
２１  …ＣＰＵ
２２  …メモリ
２２ａ…辞書検索処理プログラム
２２ｂ…文字認識処理プログラム
２２ｃ…辞書データメモリ
２２ｄ…文字認識変換候補バッファ
２２ｅ…表示データメモリ
２２ｆ…入力文字メモリ
２２ｇ…検索文字列（キーワード）メモリ
２２ｈ…ワークエリア
２３  …外部記憶媒体
２４  …記憶媒体読取部
２５  …電送制御部（通信部）
３０  …Ｗｅｂサーバ
Ｎ    …通信ネットワーク（インターネット）
Ｇ    …辞書検索画面
Ｅ１  …検索文字入力エリア
Ｅ２  …見出し語一覧エリア
Ｅ３  …辞書内容表示エリア
Ｃ    …カーソル
ＣＲ  …反転カーソル
Ｍ    …メッセージウインドウ
Ｗ    …訂正用手書き入力画面
【図１】
2008158880.tif 000003
【図２】
2008158880.tif 000004
【図３】
2008158880.tif 000005
【図４】
2008158880.tif 000006
【図５】
2008158880.tif 000007
【図６】
2008158880.tif 000008
【図７】
2008158880.tif 000009
【図８】
2008158880.tif 000010